(57)【特許請求の範囲】
【請求項１】
コンクリート構造物に形成された環状溝内に嵌合される筒部と、この筒部の一端部に一体に設けられ、この筒部の一端部を閉塞する天板部と、この天板部の表面に設けられる連結部材とからなり、前記筒部が、この筒部を前記環状溝内に嵌合させてその他端部を前記環状溝の底面に当接させた状態において、前記天板部の内面と前記コンクリート構造物の上面との間に隙間を形成する長さに形成されているとともに、前記筒部の内外面と前記環状溝内壁との間に隙間を形成する厚みに形成され、前記天板部には、この天板部を貫通する空気抜き孔が形成され、かつ、前記筒部の他端部には、その端面側に開口し前記筒部の内外面側に形成される隙間間を連通させる切り欠きが、その周方向に間隔をおいて複数形成され、前記筒部の外側面には、前記環状溝の内壁に対峙させられる複数の突起がその周方向に間隔をおいて設けられていることを特徴とする浅孔アンカー。
【請求項２】
前記筒部の内外面、および、前記天板部の内面のそれぞれに、多数の線状浅溝が格子状に形成されていることを特徴とする請求項１に記載の浅孔アンカー。
【請求項３】
前記連結部材が、前記天板部に、外方へ向かって一体に立設されたボルトであることを特徴とする請求項１または請求項２の何れかに記載の浅孔アンカー。
【請求項４】
前記天板部に貫通孔が形成されているとともに、前記天板部の内側に、前記貫通孔に連通させられた袋ナットが止着され、この袋ナットに、前記連結部材が、前記天板部の外側から螺着固定されるようになされていることを特徴とする請求項１または請求項２の何れかに記載の浅孔アンカー。
【発明の詳細な説明】
【技術分野】
【０００１】
本発明は、コンクリート構造物に取り付けられる浅孔アンカーに係わり、特に、前記コンクリート構造物の施工後に取り付けられる浅孔アンカーに関するものである。
【背景技術】
【０００２】
コンクリート構造物を施行した後で、このコンクリート構造物に取り付けられる浅孔アンカーとして、たとえば、特許文献１に示される技術が提案されている。
【０００３】
この技術は、筒状の胴部と、この胴部の一端部を閉塞するように一体に設けられた平板部とからなる、略キャップ状のアンカー本体を備え、前記平板部に、その外方へ向かうように連結部材を突設して構成されている。
【０００４】
そして、前記浅孔アンカーは、前記コンクリート構造物に、前記胴部の厚みより大きな幅を有する環状溝を穿設しておき、この環状溝内、および、この環状溝によって取り囲まれた前記コンクリート構造物表面に接着剤を充填ないしは塗布した後に、前記胴部を前記環状溝内に嵌合させるとともに、前記天板部内面を前記コンクリート構造物の表面に圧着させることによって、前記コンクリート構造物に仮止めされる。
【０００５】
そして、前記接着剤の硬化によって、前記浅孔アンカーが前記コンクリート構造物に固定されるとともに、前記天板部に取り付けられた連結部材を介して、種々の設備や機器の固定に用いられる。
【先行技術文献】
【特許文献】
【０００６】
【特許文献１】実用新案登録第３１３６０５８号公報
【発明の概要】
【発明が解決しようとする課題】
【０００７】
前述した従来の技術では、アンカー本体とコンクリート構造物との接合面が広く、また、胴部と環状溝との嵌合によって倒れ方向における抗力が効率よく得られることで、強固なアンカー機能を得ることができる。
【０００８】
ところで、前記浅孔アンカーの固定強度を安定して得るためには、前記環状溝と前記胴部との嵌合具合を周方向おいて均一にする必要がある。
すなわち、前記環状溝の内面と前記胴部の内外面との距離すなわち隙間を周方向において均一にし、この隙間に充填される接着剤の厚みを周方向において均一にする必要がある。
【０００９】
一方、接続強度を確保するための前記接着剤の必要厚みがあり、その厚みを確保するために、前記環状溝の幅を前記胴部の厚みよりも大きくしなければならない。
【００１０】
しかしながら、従来技術においては、前記環状溝と前記胴部との、その径方向における相対的な位置規制のための手段がないため、前述した前記環状溝と前記胴部との隙間が周方向において不均一になりやすく、したがって、その隙間に充填される接着剤の厚みも周方向において不均一になりやすい。
【００１１】
この結果、前記アンカー本体の固定強度が前記胴回りにおいて不均一となり、この固定力が低下してしまうことが想定される。
【００１２】
本発明は、このような従来において残されている問題点に鑑みてなされたもので、コンクリート構造物に形成された環状溝内に嵌合される筒部と、この筒部の一端部に一体に設けられ、この筒部の一端部を閉塞する天板部と、この天板部の表面に設けられる連結部材とからなる浅孔アンカーにおいて、前記胴部と前記環状溝との径方向における位置決めを容易にして、これらの間に充填される接着剤の厚みを前記胴部の周方向において均一化し、これによって、浅孔アンカーの固定強度の低下を防止することを解決すべき課題とする。
【課題を解決するための手段】
【００１３】
本発明の浅孔アンカーは、前述した課題を解決するために、コンクリート構造物に形成された環状溝内に嵌合される筒部と、この筒部の一端部に一体に設けられ、この筒部の一端部を閉塞する天板部と、この天板部の表面に設けられる連結部材とからなり、前記筒部の外側面には、その周方向に間隔をおいて複数の突起が設けられ、前記筒部の他端部には、その端面側に開口した切り欠きが、その周方向に間隔をおいて複数形成されていることを特徴とする。
【００１４】
このような構成とすることにより、前記胴部を前記環状溝内に嵌合させた際に、前記胴部の外側面に設けられた複数の突起が前記環状溝の内面に近接して対峙させられる。
【００１５】
これにより、前記胴部と前記環状溝との径方向における位置決めがなされるとともに、これらの間に形成される隙間が周方向において均一に保持される。
【００１６】
したがって、前記隙間に充填される接着剤の厚みも周方向において均一化されて、この接着剤による固着強度が確保される。
【００１７】
また、前記隙間は、前記胴部の内外面両方に形成されるが、これらの隙間が、前記切り欠きによって連通させられている。
【００１８】
このように前記胴部の内外に形成される両隙間が連通させられていることにより、両隙間に充填される接着剤が、その充填時において両隙間間で自由に移動し、これによって、接着剤が前記両隙間に円滑に充填され、均一に充填される。
この点からも、前記アンカー本体の固着強度が高められる。
【００１９】
一方、前記筒部の内外面、および、前記天板部の内面のそれぞれに、多数の線状浅溝を格子状に形成することが好ましい。
【００２０】
このような構成とすることにより、接着剤と前記胴部や天板部との接触面が増加するとともに、前記胴部の抜け方向に対して交差する接触面が形成されることにより、前記アンカー本体の抜け止め強度が向上する。
【００２１】
また、前述した線状浅溝により、前記胴部の周方向に対して交差する接触面も形成される。
これによって、前記アンカー本体のその軸回りの回動も拘束され、この結果、前記アンカー本体の固着強度が高められる。
【００２２】
また、前記連結部材は、前記天板部に、外方へ向かって一体に立設されたボルトによって構成される。
【００２３】
前記ボルトは、前記天板部に溶接等の手段によって固着されて、被支持体との連結に用いられる。
【００２４】
さらに、前記天板部に貫通孔が形成されているとともに、前記天板部の内側に、前記貫通孔に連通させられた袋ナットが止着され、この袋ナットに、前記連結部材が、前記天板の外側から螺着固定されるようにすることもできる。
【発明の効果】
【００２５】
本発明によれば、アンカー本体の胴部をコンクリート構造物に形成された環状溝に嵌合させた際に、胴部の内外面と前記環状溝の内面との間に形成される隙間を均一化し、これによって、前記隙間に充填される接着剤の厚みを均一化して固定強度を高めることができる。
【図面の簡単な説明】
【００２６】
【図１】本発明の第１の実施形態を示す正面図である。
【図２】本発明の第１の実施形態を示す底面図である。
【図３】本発明の第１の実施形態を示す平面図である。
【図４】本発明の第１の実施形態を示す縦断面図である。
【図５】本発明の第１の実施形態を示すもので、取り付け手順を示す拡大縦断面図である。
【図６】本発明の第１の実施形態を示すもので、取り付け手順を示す拡大縦断面図である。
【図７】本発明の第１の実施形態を示すもので、取り付け手順を示す拡大縦断面図である。
【図８】本発明の第２の実施形態を示す縦断面図である。
【発明を実施するための形態】
【００２７】
以下、本発明の第１の実施形態について、図１ないし図７を参照して説明する。
これらの図において符号１は、本実施形態にかかる浅孔アンカーを示す。
本実施形態にかかる浅孔アンカー１は、図７に示すように、たとえばコンクリートスラブや基礎等のコンクリート構造物Ｃに形成された環状溝Ｄに嵌合させられて、これら間に充填ないしは塗布される接着剤Ｂによって前記コンクリート構造物Ｃに接着固定されて使用される。
【００２８】
さらに詳述すれば、前記浅孔アンカー１は、前記環状溝Ｄ内に嵌合される筒部２ａと、この筒部２ａの一端部に一体に設けられ、この筒部２ａの一端部を閉塞する天板部２ｂからなるアンカー本体２と、前記天板部２ｂの表面に、上方へ向けて突設された連結部材３とから構成されている。
【００２９】
前記筒部２ａの外側面には、その周方向に間隔をおいて複数（本実施形態においては８個）の突起４が設けられ、前記筒部２ａの他端部には、その端面側に開口した切り欠き５が、その周方向に間隔をおいて複数形成されている。
【００３０】
前記筒部２ａの内外面、および、前記天板部２ｂの内面のそれぞれには、多数の線状浅溝Ｇが格子状に形成されており、本実施形態においては、この線状浅溝Ｇの断面形状がＶ字状となされている。
【００３１】
また、前記連結部材３は、本実施形態においてはボルトが用いられており、その基部が、図４に示すように、前記天板部２ｂに形成された貫通孔６内に嵌合させられるとともに、溶接によって前記天板部２ｂに一体に固着されている。
【００３２】
さらに、前記天板部２ｂには、この天板部２ｂを貫通する空気抜き孔７が、前記連結部材３を取り囲むようにして８カ所に形成されている。
【００３３】
そして、前記複数の突起４は、本実施形態においては、略球殻状に形成されており、その突出端を結んで得られる仮想円の直径が、前記環状溝Ｄの外側の内壁の内径とほぼ等しくあるいは若干小さくなるように、その突出量が設定されている。
【００３４】
また、前記筒部２ａの長さは、この筒部２ａの他端部（図１における下端部）を前記環状溝Ｄの底面に当接させた状態において、前記天板部２ｂの内面を、前記コンクリート構造物Ｃの上面から所定距離離間させる寸法に設定されている。
【００３５】
このように形成された本実施形態に係わる浅孔アンカー１を前記コンクリート構造物Ｃに設置するには、まず、図５に示すように、前記筒部２ａの開口端を前記コンクリート構造物Ｃに形成されている前記環状溝Ｄの上方に位置合わせする。
【００３６】
ついで、前記アンカー本体２を前記コンクリート構造物Ｃへ向けて下降させて、図６に示すように、前記筒部２ａを前記環状溝Ｄに嵌合させるとともに、前記筒部２ａの開口端を前記環状溝Ｄの底部に当接させる。
【００３７】
このように、前記筒部２ａを前記環状溝Ｄに嵌合させる際に、前記筒部２ａの外面が、前記突起４の突出量の分、前記環状溝Ｄの内面より後退させられていることにより、嵌合初期の段階において、前記筒部２ａと前記環状溝Ｄの内面との間に十分な距離が形成される。
これによって、前記アンカー本体２にある程度の倒れが生じても、前記筒部２ａと前記環状溝Ｄの内面との接触が防止されて円滑な嵌合操作が可能となる。
【００３８】
前述した嵌合を進めると、前記各突起４が前記環状溝Ｄの開放端縁に当接させられるが、これらを同時に前記開放端縁に接触させた後に、さらに嵌合を進めると、前述したように、前記各突起４が球殻状に形成されていることにより、これらの各突起４が円滑に前記環状溝Ｄ内に入り込む。
【００３９】
そして、前記筒部２ａの下端部を前記環状溝Ｄの底面に当接させて嵌合を終了する。
【００４０】
このような嵌合操作を終えた状態において、前記各突起４が前記環状溝Ｄの外側の内面に対して至近距離で対峙される。
これによって、前記筒部２ａと前記環状溝Ｄとが、径方向および嵌合方向において位置決めされる。
【００４１】
この結果、前記環状溝Ｄの両内面と前記筒部２ａとの間に、この筒部２ａ回りに均一な隙間Ｓ１・Ｓ２が形成されるとともに、前記天板部２ｂの内面と前記コンクリート構造物Ｃの上面との間に所定の隙間Ｓ３が形成される。
【００４２】
そして、前記筒部２ａの内外に形成される隙間Ｓ１と隙間Ｓ２とは、図６に示すように、前記筒部２ａに形成されている複数の切り欠き５によって連通させられている。
【００４３】
これより、前記各隙間Ｓ１・Ｓ２・Ｓ３内に、図７に示すように接着剤Ｂを充填して固化させることにより、本実施形態の浅孔アンカー１が前記コンクリート構造物Ｃに固定される。
【００４４】
ここで、前記各隙間Ｓ１・Ｓ２・Ｓ３が均一に形成されていることから、充填される接着剤Ｂの厚みも均一化され、したがって、固化後に生じる固着力も前記筒部２ａ回りにおいて均一なものとなり、前記浅孔アンカー１の固着強度が十分に確保される。
【００４５】
また、前記切り欠き５の存在により、前記各隙間Ｓ１・Ｓ２・Ｓ３が連続させられていることから、充填される接着剤Ｂの良好な流動が確保される。
この結果、接着剤Ｂの充填効率が高められ、この点からも、接着剤が均一に充填される。
【００４６】
また、本実施形態においては、前記天板部２ｂに空気抜き孔７が形成されていることから、前記接着剤Ｂを前記環状溝Ｄ側から充填した場合、充填方向の前方の空気が円滑に排出されることから、充填が円滑に行なわれる。
【００４７】
このように接着剤Ｂの充填がなされると、この接着剤Ｂは、前記線状浅溝Ｇにも入り込み、また、前述したように、前記切り欠き５にも入り込む。
さらに、前記接着剤Ｂによって前記複数の突起４が取り囲まれる。
【００４８】
したがって、充填された接着剤Ｂによって、前記アンカー本体２の引き抜き方向および周方向の全方向において引っ掛かりが形成される。
この点からも、前記浅孔アンカー１の固着強度が高められる。
【００４９】
一方、前述した接着剤Ｂを、前記アンカー本体２を前記環状溝Ｄに嵌合した後に充填する例について示したが、前記アンカー本体２を嵌合する前に、前記環状溝Ｄ内やその内側の前記コンクリート構造物Ｃの上面に充填ないしは塗布しておくことも可能である。
【００５０】
図８は、本発明の第２の実施形態を示すもので、前記天板部２ｂに貫通孔８を形成するとともに、前記天板部２ｂの内側に、前記貫通孔８に連通させられた袋ナット９を止着し、この袋ナット９に前記連結部材３を前記天板部２ｂの外側から螺着固定するようにしたものである。
【００５１】
なお、前記各実施形態において示した各構成部材の諸形状や寸法等は一例であって設計要求等に基づき種々変更可能である。
【符号の説明】
【００５２】
１  浅孔アンカー
２  アンカー本体
２ａ  筒部
２ｂ  天板部
３  連結部材
４  突起
５  切り欠き
６  貫通孔
７  空気抜き孔
８  貫通孔
９  袋ナット
Ｂ  接着剤
Ｃ  コンクリート構造物
Ｄ  環状溝
Ｇ  線状浅溝
Ｓ１  隙間
Ｓ２  隙間
Ｓ３  隙間
【要約】
【課題】コンクリート構造物に形成された環状溝内に嵌合される筒部と、この筒部の一端部に一体に設けられ、この筒部の一端部を閉塞する天板部と、この天板部の表面に設けられる連結部材とからなる浅孔アンカーにおいて、前記胴部と前記環状溝との径方向における位置決めを容易にして、これらの間に充填される接着剤の厚みを前記胴部の周方向において均一化し、これによって、浅孔アンカーの固定強度の低下を防止する。
【解決手段】コンクリート構造物Ｃに形成された環状溝Ｄ内に嵌合される筒部２ａと、この筒部の一端部に一体に設けられ、この筒部の一端部を閉塞する天板部２ｂと、この天板部の表面に設けられる連結部材３とからなり、前記筒部の外側面には、その周方向に間隔をおいて複数の突起４が設けられ、前記筒部の他端部には、その端面側に開口した切り欠き５が、その周方向に間隔をおいて複数形成されていることを特徴とする。
【選択図】図７【図１】
0005979569.tif 000002
【図２】
0005979569.tif 000003
【図３】
0005979569.tif 000004
【図４】
0005979569.tif 000005
【図５】
0005979569.tif 000006
【図６】
0005979569.tif 000007
【図７】
0005979569.tif 000008
【図８】
0005979569.tif 000009